(57)【要約】【課題】洋式大便器に男性が立って小用時に、どんなに注意しても、小便の飛沫が飛散して、便器はもちろん、床や壁などを汚してしまいがちで、トイレ内の悪臭の主な原因にもなっており非衛生的です。そのため男性が小用時に立ってするか、座ってするかで悩んでいる人が多いと思われる。【解決手段】本発明は、折りたたみ翼付板ＷＰを、便器本体１０の左右の縁の内側から外側に張り出すように開いて広げ、更に、使用者から見て便器本体１０の手前内側の縁から外側に広くして設置し、男性が立ち小便時に、小便の飛沫の飛散と、雫が床に垂れる事を防御し、さらに、前記の悩みを解決し、男性が堂々と立って小用が出来、トイレ内の清潔さと、男の威厳を保つ事を目的とする、洋式大便器用・男性の立ち小便飛散防御板装置を提供する。【選択図】図１
2017080038.tif 000002
【特許請求の範囲】
【請求項１】
本発明は，便器本体１０と、便座２０、そして便器カバー３０からなる洋式大便器に、内側に翼部分を折りたたむ事が出来る折りたたみ翼付板ＷＰの翼部分を内側に開閉する方法として、特許文献４請求項３の記載において、ハンドレバーＨＬに連結してあるコの字型に折り曲げ加工した鉄線ＩＷと、その両先端にインダクションパーツＩＰを連動するように取り付けてある機構を排除し、同時に、折りたたみ翼付板ＷＰの使用者から見て奥の方の左右を繋いでいる細長い部分（特許文献４図１記載）をカットし、折りたたみ翼付板ＷＰの使用者から見て奥の方の左右の裏に、凸型の固定用突起付板左ＷＰＴと凸型の固定用突起付板右(折りたたみ翼開閉用金具取付板兼用)ＷＰＴ−２の長さの２/３を貼り付け、残りの１/３部分を便座２０と便器本体１０の間に差し込んでセッティングし固定する方法を可能にした、洋式大便器用・男性の立ち小便飛散防御板装置。
【請求項２】
本発明は、請求項１の記載において、折りたたみ翼付板ＷＰが開いた時、便器本体１０の左右の縁の内側から折りたたみ翼付板ＷＰを外側へ張り出すように広げて、さらに、使用者から見て、便器本体１０の手前の縁の内側から折りたたみ翼付板ＷＰの幅を外側に広くして設置し、小便の雫が床に垂れる事を防御する、洋式大便器用・男性の立ち小便飛散防御板装置。
【請求項３】
本発明は、請求項１の記載において、折りたたみ翼付板ＷＰの翼部分を内側に折りたたんで便座２０を下げた時に、折りたたみ翼付板ＷＰが便座２０からはみ出している部分を覆う、汚れ防止用衛生カバーＨＣにおいて、着脱可能テープ付スポンジＭＳを便座２０の裏の凹部に貼り、便座の凸部２５の上部面に取り付ける汚れ防止用衛生カバーＨＣを備えた、洋式大便器用・男性の立ち小便飛散防御板装置。
【請求項４】
本発明は，図８に記載の通り、折りたたみ翼付板ＷＰの左右の翼部分を内側に開閉する時に、凸型の固定用突起付板右(折りたたみ翼開閉用金具取付板兼用)ＷＰＴー２の裏に取り付けのボックス型の金具カバーＭＢの中に収納してある、折りたたみ翼開閉用金具ＯＣＭにインダクションワイヤＩＷを接続延長し折りたたみ翼付板ＷＰの裏側に張り巡らし、インダクションワイヤ止めパーツＩＷＫで部分固定し、インダクションワイヤＩＷの先端を折りたたみ翼付板ＷＰ翼部分に、インダクションワイヤ先端固定パーツＷＰＫとワイヤを接着固定し、折りたたみ翼開閉用金具ＯＣＭに連結してあるハンドレバーＨＬを前後に水平に手動で作動し、折りたたみ翼付板ＷＰの左右の翼部分が同時に連動的に開閉する機構を備えた、洋式大便器用・男性の立ち小便飛散防御板装置を提供する。
【発明の詳細な説明】
【技術分野】
【０００１】
本発明は、洋式大便器に、男性の立小便時における、飛沫の飛散と、小便の雫が床に垂れる事を防御する、洋式大便器用・男性の立ち小便飛散防御板装置に関するものである。
【背景技術】
【０００２】
従来においては、特許文献１「男子小便飛散防止シート」、特許文献２「洋風便器の小便補助機構及び小便補助具」、及び、特許文献３「飛散防止板付き洋式便器」、又は、特許文献４「洋式大便器用・男性の立ち小便飛散防御板装置」に記載されたような技術が開示されている。
【０００３】
特許文献１は、便器と便座の間に左右一対の遮蔽幕を設置し、便座を上げた時に開いた遮蔽幕で小便の飛散を防止する仕組みのようですが、便器の長さの約半分の前方の両サイドは小便の飛散を防げるが、便器の長さの手前半分位の部分の両サイドに小便が飛散してしまうおそれがあり、更に便器手前の所の床に小便の雫が垂れるのを防止出来ない事と、使い捨てでは不経済ではないかと思う。  
特許文献２は、従来の発想と異なる観点から、大便器の両サイドに小便補助具をセットし、かがんで、ひざまずいて小用する器具で、小便の飛散は防げますが、私が自分で代用品を使って試してみましたが、かがんで、ひざまずく動作が大変ではないかと思う。
特許文献３は、便器本体の上端面に三日月形の２枚の彎曲をした長板を、拡張移動する可動式飛散防止板装置ですが、前方両サイドは小便の飛散を防げるが、後方３分の１ほどの部分の小便の飛散と、前記特許文献１同様、便器手前の所の床に小便の雫が垂れるのを防止出来ないのではないかと思う。
そこで特許文献４の発明をしましたが、特許文献４は、洋式大便器用・男性の立ち小便飛散防御板装置そのものに問題はないが、各便器メーカーの便座の種々の形全部に、対応しきれない部分もある事が難点である。    
【先行技術文献】
【特許文献】
【０００４】
【特許文献１】実願第３１１７６１７号公報
【特許文献２】特許第３８９６３３７号公報
【特許文献３】特開２０１２−２１９５９５号公報
【特許文献４】特許第５７５６９３４ 号公報
【非特許文献】
【０００５】
【非特許文献１】なし。
【発明の概要】
【発明が解決しようとする課題】
【０００６】
折りたたみ翼付板ＷＰの翼部分を内側に開閉する方法として、特許文献４請求項３の記載において、ハンドレバーＨＬに連結してあるコの字型に折り曲げ加工した鉄線ＩＷと、その両先端にインダクションパーツＩＰを連動するように取り付けて、折りたたみ翼付板ＷＰが左右同時に開閉する機構を備えたが、最新の各便器メーカーの便座の種々の形が、Ｒ面や凹凸の付いた形、それに、洗浄ノズルの出し入れ口カバーが上下に開閉する装置付きのものも有り、その種々の形全部には、前記のコの字型に折り曲げ加工した鉄線ＩＷ等の組み合わせの機構では対応しきれないという課題が挙げられる。
【課題を解決するための手段】
【０００７】
上記目的を達成するために本発明は，便器本体１０と、便座２０、そして便器カバー３０からなる洋式大便器に、内側に翼部分を折りたたむ事が出来る折りたたみ翼付板ＷＰの翼部分を内側に開閉する方法として、特許文献４請求項３の記載において、ハンドレバーＨＬに連結してあるコの字型に折り曲げ加工した鉄線ＩＷと、その両先端にインダクションパーツＩＰを連動するように取り付けてある機構を排除し、同時に、折りたたみ翼付板ＷＰの使用者から見て奥の方の左右を繋いでいる細長い部分（特許文献４図１記載）をカットし、折りたたみ翼付板ＷＰの使用者から見て奥の方の左右の裏に、凸型の固定用突起付板左ＷＰＴと凸型の固定用突起付板右(折りたたみ翼開閉用金具取付板兼用)ＷＰＴー２の長さの２/３を貼り付け、残りの１/３部分を便座２０と便器本体１０の間に差し込んでセッティングし固定する方法を特許文献４請求項１の記載を上記のとおり一部改良変更する。
また、特許文献４請求項４の記載を次のとおり引用する。
折りたたみ翼付板ＷＰが開いた時、便器本体１０の左右の縁の内側から折りたたみ翼付板ＷＰを外側へ張り出すように広げて、さらに、使用者から見て、便器本体１０の手前の縁の内側から折りたたみ翼付板ＷＰの幅を外側に広くして設置し、小便の雫が床に垂れる事を防御する、洋式大便器用・男性の立ち小便飛散防御板装置。
上記につづいて、特許文献４請求項２の記載を次のとおり引用する。
折りたたみ翼付板ＷＰの翼部分を内側に折りたたんで便座２０を下げた時に、折りたたみ翼付板ＷＰが便座２０からはみ出している部分を覆う、汚れ防止用衛生カバーＨＣにおいて、着脱可能テープ付スポンジＭＳを便座２０の裏の凹部に貼り、便座の凸部２５の上部面に取り付ける汚れ防止用衛生カバーＨＣを備えた、洋式大便器用・男性の立ち小便飛散防御板装置。
そして，図８に記載の通り、折りたたみ翼付板ＷＰの左右の翼部分を内側に開閉する時に、凸型の固定用突起付板右(折りたたみ翼開閉用金具取付板兼用)ＷＰＴー２の裏に取り付けのボックス型の金具カバーＭＢの中に収納してある、折りたたみ翼開閉用金具ＯＣＭにインダクションワイヤＩＷを接続延長し折りたたみ翼付板ＷＰの裏側に張り巡らし、インダクションワイヤ止めパーツＩＷＫで部分固定し、インダクションワイヤＩＷの先端を折りたたみ翼付板ＷＰ翼部分に、インダクションワイヤ先端固定パーツＷＰＫとワイヤを接着固定し、折りたたみ翼開閉用金具ＯＣＭに連結してあるハンドレバーＨＬを前後に水平に手動で作動し、折りたたみ翼付板ＷＰの左右の翼部分が同時に連動的に開閉する機構を備えた、洋式大便器用・男性の立ち小便飛散防御板装置を提供し課題を解決する。
【発明の効果】
【０００８】
以上の説明から明らかなように、本発明にあっては次の（１）（２）に列挙する効果が得られる。
(１)男性が普通に立って小用時に、小便の飛沫の飛散と小便の雫が床に垂れる事を防御し、洋式大便器用・男性の立ち小便飛散防御板装置を定期的に清掃すれば、いつまでも清潔さを保つ事ができ衛生的であり、さらに、洋式大便器の既設・新設共に設置できることも特徴である、洋式大便器用・男性の立ち小便飛散防御板装置を提供する。
【０００９】
(２) 前記（１）記載のとおり、便器本体１０やトイレ内の清潔感を保つ事ができ、また、大便に比べて小便の使用頻度がかなり多いと思われ、普通に立って小用する事により、座って小用する場合は睾丸を押さえたりする等の男性の生理的な現象を解消することができ、さらに、男の威厳を保つ事もできる。
【図面の簡単な説明】
【００１０】
【図１】本発明に係る、洋式大便器用・男性の立ち小便飛散防御板装置の最良の形態の全体斜視図である。  (実施例１)
【図２】本発明に係る、洋式大便器用・男性の立ち小便飛散防御板装置の第１の形態の平面図である。  (実施例２)
【図３】本発明に係る、洋式大便器用・男性の立ち小便飛散防御板装置の第１の形態の正面図である。  (実施例３)
【図４】本発明に係る、洋式大便器用・男性の立ち小便飛散防御板装置の第１の形態の側面図である。  (実施例４)
【図５】本発明に係る、洋式大便器用・男性の立ち小便飛散防御板装置の第２の形態の平面図である。  (実施例５)
【図６】本発明に係る、洋式大便器用・男性の立ち小便飛散防御板装置の第３の形態の平面図である。  (実施例６)
【図７】本発明に係る、洋式大便器用・男性の立ち小便飛散防御板装置の第４の形態の平面図である。  (実施例７)
【図８】本発明に係る、洋式大便器用・男性の立ち小便飛散防御板装置の裏面図である。（実施例８）
【発明を実施するための形態】
【００１１】
以下、本発明の実施の形態を図に基づいて説明する。
【実施例】
【００１２】
［実施例１］
図１は、本発明装置である、洋式大便器用・男性の立ち小便飛散防御板装置の実施例で、男性が普通に立ったままで、小用が可能な状態の全体斜視図を提供する。
［実施例２］
【００１３】
図２は、実施例１記載の、本発明装置の平面図で、男性が普通に立って小用時に、壁や床など周囲への飛散を防御し、さらに、小便の雫が床に垂れる事を防御する、洋式大便器用・男性の立ち小便飛散防御板装置を提供する。  
［実施例３］
【００１４】
図３は、便座２０の裏に取り付ける汚れ防止用衛生カバーＨＣの形態の正面図と同時に、本発明装置である後方向正面図で、請求項１に記載のとおり、洋式大便器用・男性の立ち小便飛散防御板装置を便器本体１０と便座２０の間に差し込み固定してセットした状態の図である。  
［実施例４］      
【００１５】
図４は、前記実施例３記載のとおり、汚れ防止用衛生カバーＨＣを便座２０の上部面に取り付けた状態と、本発明装置である洋式大便器用・男性の立ち小便飛散防御板装置を、便座２０と便器本体１０の間に折りたたみ翼付板付随の固定用突起付板ＷＰＴを差し込んでセッティングした状態の横方向側面図と、折りたたみ翼用開閉金具ＯＣＭ接続のハンドレバーＨＬの詳細図である。
［実施例５］
【００１６】
図５は、実施例２から４記載の、次の第２段階の実施例で、洋式大便器用・男性の立ち小便防御板装置を、二つに折りたたんだ状態の平面図である。    
［実施例６］
【００１７】
図６は前記実施例５記載の次の第３段階の実施例で、便座２０を閉じて大便時に使用可能な状態にした平面図で、特許文献４の請求項２に記載のとおり、折りたたみ翼付板ＷＰを内側に折りたたんで、便座２０を下げた時に便座２０からはみ出した部分を、着衣に汚れが付着するのを防ぐために、便座２０の裏に取り付けた、汚れ防止用衛生カバーＨＣで覆った状態の平面図である。
［実施例７］
【００１８】
図７は、前記実施例６記載の次の第４段階の実施例で、さらに便器カバー３０を閉じて、通常の使用前の状態の平面図である。
［実施例８］
【００１９】
図８は洋式大便器用・男性の立ち小便飛散防御板装置の裏面の製作上の実施例の詳細である。
【産業上の利用可能性】
【００２０】
本発明装置である、洋式大便器用・男性の立ち小便飛散防御板装置の需要が増える事により、使用する材料の生産量が増加し、さらに、加工製作上の人手が必要になり、雇用の増大が見込めるなどの産業上の利用の可能性がある。
【符号の説明】
【００２１】
１０        便器本体
２０        便座
２５        便座の凸部
３０        便器カバー
ＷＰ        折りたたみ翼付板          
ＷＰＴ      折りたたみ翼付板付随の凸型固定用突起付板左
ＷＰＴー２   折りたたみ翼付板付随の凸型固定用突起付板右(折りたたみ翼開閉用金具取付板兼用)  
ＭＢ        ボックス型の金具カバー  
ＯＣＭ     折りたたみ翼開閉用金具  
ＨＬ        ハンドレバー
ＩＷ        インダクションワイヤ  
ＩＷＫ      インダクションワイヤ止めパーツ
ＷＰＫ     インダクションワイヤ先端固定パーツ
ＯＣＭＢ    折りたたみ翼開閉用金具固定ボルト兼ボックス型の金具カバー固定ボルト  
ＨＣ       汚れ防止用衛生カバー    
ＭＳ       着脱可能テープ付スポンジ(汚れ防止用衛生カバー貼り付け用)  
【図１】
2017080038.tif 000003
【図２】
2017080038.tif 000004
【図３】
2017080038.tif 000005
【図４】
2017080038.tif 000006
【図５】
2017080038.tif 000007
【図６】
2017080038.tif 000008
【図７】
2017080038.tif 000009
【図８】
2017080038.tif 000010
【手続補正書】
【提出日】平成28年7月21日(2016.7.21)
【手続補正１】
【補正対象書類名】明細書
【補正対象項目名】全文
【補正方法】変更
【補正の内容】
【発明の詳細な説明】
【技術分野】
【０００１】
本発明は、洋式大便器に、男性の立小便時における、飛沫の飛散と、小便の雫が床に垂れる事を防御する、洋式大便器用・男性の立ち小便飛散防御板装置に関するものである。
【背景技術】
【０００２】
従来においては、特許文献１「男子小便飛散防止シート」、特許文献２「洋風便器の小便補助機構及び小便補助具」、及び、特許文献３「飛散防止板付き洋式便器」、又は、特許文献４「洋式大便器用・男性の立ち小便飛散防御板装置」に記載されたような技術が開示されている。
【０００３】
特許文献１は、便器と便座の間に左右一対の遮蔽幕を設置し、便座を上げた時に開いた遮蔽幕で小便の飛散を防止する仕組みのようですが、便器の長さの約半分の前方の両サイドは小便の飛散を防げるが、便器の長さの手前半分位の部分の両サイドに小便が飛散してしまうおそれがあり、更に便器手前の所の床に小便の雫が垂れるのを防止出来ない事と、使い捨てでは不経済ではないかと思う。  
特許文献２は、従来の発想と異なる観点から、大便器の両サイドに小便補助具をセットし、かがんで、ひざまずいて小用する器具で、小便の飛散は防げますが、私が自分で代用品を使って試してみましたが、かがんで、ひざまずく動作が大変ではないかと思う。
特許文献３は、便器本体の上端面に三日月形の２枚の彎曲をした長板を、拡張移動する可動式飛散防止板装置ですが、前方両サイドは小便の飛散を防げるが、後方３分の１ほどの部分の小便の飛散と、前記特許文献１同様、便器手前の所の床に小便の雫が垂れるのを防止出来ないのではないかと思う。
そこで特許文献４の発明をしましたが、特許文献４は、洋式大便器用・男性の立ち小便飛散防御板装置そのものに問題はないが、各便器メーカーの便座の種々の形全部に、対応しきれない部分もある事が難点である。    
【先行技術文献】
【特許文献】
【０００４】
【特許文献１】実願第３１１７６１７号公報
【特許文献２】特許第３８９６３３７号公報
【特許文献３】特開２０１２−２１９５９５号公報
【特許文献４】特許第５７５６９３４ 号公報
【非特許文献】
【０００５】
【非特許文献１】なし。
【発明の概要】
【発明が解決しようとする課題】
【０００６】
折りたたみ翼付板ＷＰの翼部分を内側に開閉する方法として、特許文献４請求項３の記載において、ハンドレバーＨＬに連結してあるコの字型に折り曲げ加工した鉄線ＩＷと、その両先端にインダクションパーツＩＰを連動するように取り付けて、折りたたみ翼付板ＷＰが左右同時に開閉する機構を備えたが、最新の各便器メーカーの便座の種々の形が、Ｒ面や凹凸の付いた形、それに、洗浄ノズルの出し入れ口カバーが上下に開閉する装置付きのものも有り、その種々の形全部には、前記のコの字型に折り曲げ加工した鉄線ＩＷ等の組み合わせの機構では対応しきれないという課題が挙げられる。
【課題を解決するための手段】
【０００７】
上記目的を達成するために本発明は，便器本体１０と、便座２０、そして便器カバー３０からなる洋式大便器に、折りたたみ翼付板ＷＰの使用者から見て奥の方の左右の裏に、固定用突起板左ＷＰＴと、折りたたみ翼開閉用金具取付板兼用の固定用突起板右ＷＰＴ−２の長さの２/３を貼り付け、残り１/３の部分を便座２０と便器本体１０の間に差し込んでセッティングし、さらに、折りたたみ翼付板ＷＰの左右の翼部分を内側に開閉する時に、折りたたみ翼開閉用金具取付板兼用の固定用突起板右ＷＰＴ−２の裏に取り付けのボックス型の金具カバーＭＢの中に収納してある、折りたたみ翼開閉用金具ＯＣＭからインダクションワイヤＩＷを接続し、折りたたみ翼付板ＷＰのそれぞれの翼部分に、インダクションワイヤ先端固定パーツＷＰＫにインダクションワイヤＩＷを差し込んで接着固定し、もう一方を折りたたみ翼開閉用金具ＯＣＭから接続延長し、折りたたみ翼付板ＷＰの裏に張り巡らし、インダクションワイヤ止めパーツＩＷＫで部分固定し、折りたたみ翼付板ＷＰの翼部分に、インダクションワイヤ先端固定パーツＷＰＫにインダクションワイヤＩＷを差し込んで接着固定し、そして、折りたたみ翼開閉用金具ＯＣＭに連結してあるハンドレバーＨＬを前後に水平に手動で作動し、折りたたみ翼付板ＷＰの左右の翼部分が同時に連動的に開閉する機構を備えた、洋式大便器用・男性の立ち小便飛散防御板装置で、折りたたみ翼付板ＷＰを開いた時、便器本体１０の左右の縁の内側から折りたたみ翼付板ＷＰを外側へ張り出すように広げて、又、使用者から見て、便器本体１０の手前の縁の内側から折りたたみ翼付板ＷＰの幅を外側に広くして、小便の雫が床に垂れる事を防御する事が出来、折りたたみ翼付板ＷＰの翼部分を内側に折りたたんで便座２０を下げた時に、折りたたみ翼付板ＷＰが便座２０からはみ出している部分を覆う、汚れ防止用衛生カバーＨＣを着脱可能テープ付スポンジＭＳで便座２０の裏の凹部に貼り、便座の凸部２５の上部面に取り付ける汚れ防止用衛生カバーＨＣを備えた、洋式大便器用・男性の立ち小便飛散防御板装置で課題を解決する。
【発明の効果】
【０００８】
以上の説明から明らかなように、本発明にあっては次の（１）（２）に列挙する効果が得られる。
(１)男性が普通に立って小用時に、小便の飛沫の飛散と小便の雫が床に垂れる事を防御し、洋式大便器用・男性の立ち小便飛散防御板装置を定期的に清掃すれば、いつまでも清潔さを保つ事ができ衛生的であり、さらに、洋式大便器の既設・新設共に設置できることも特徴である、洋式大便器用・男性の立ち小便飛散防御板装置を提供する。
【０００９】
(２) 前記（１）記載のとおり、便器本体１０やトイレ内の清潔感を保つ事ができ、また、大便に比べて小便の使用頻度がかなり多いと思われ、普通に立って小用する事により、座って小用する場合は睾丸を押さえたりする等の男性の生理的な現象を解消することができ、さらに、男の威厳を保つ事もできる。
【図面の簡単な説明】
【００１０】
【図１】本発明に係る、洋式大便器用・男性の立ち小便飛散防御板装置の最良の形態の全体斜視図である。  (実施例１)
【図２】本発明に係る、洋式大便器用・男性の立ち小便飛散防御板装置の第１の形態の平面図である。  (実施例２)
【図３】本発明に係る、洋式大便器用・男性の立ち小便飛散防御板装置の第１の形態の正面図である。  (実施例３)
【図４】本発明に係る、洋式大便器用・男性の立ち小便飛散防御板装置の第１の形態の側面図である。  (実施例４)
【図５】本発明に係る、洋式大便器用・男性の立ち小便飛散防御板装置の第２の形態の平面図である。  (実施例５)
【図６】本発明に係る、洋式大便器用・男性の立ち小便飛散防御板装置の第３の形態の平面図である。  (実施例６)
【図７】本発明に係る、洋式大便器用・男性の立ち小便飛散防御板装置の第４の形態の平面図である。  (実施例７)
【図８】本発明に係る、洋式大便器用・男性の立ち小便飛散防御板装置の裏面図である。（実施例８）
【発明を実施するための形態】
【００１１】
以下、本発明の実施の形態を図に基づいて説明する。
【実施例】
【００１２】
［実施例１］
図１は、本発明装置である、洋式大便器用・男性の立ち小便飛散防御板装置の実施例で、男性が普通に立ったままで、小用が可能な状態の全体斜視図を提供する。
［実施例２］
【００１３】
図２は、実施例１記載の、本発明装置の平面図で、男性が普通に立って小用時に、壁や床など周囲への飛散を防御し、さらに、小便の雫が床に垂れる事を防御する、洋式大便器用・男性の立ち小便飛散防御板装置を提供する。  
［実施例３］
【００１４】
図３は、便座２０の裏に取り付ける汚れ防止用衛生カバーＨＣの形態の正面図と同時に、本発明装置である後方向正面図で、請求項１に記載のとおり、洋式大便器用・男性の立ち小便飛散防御板装置を便器本体１０と便座２０の間に差し込み固定してセットした状態の図である。  
［実施例４］      
【００１５】
図４は、前記実施例３記載のとおり、汚れ防止用衛生カバーＨＣを便座２０の上部面に取り付けた状態と、本発明装置である洋式大便器用・男性の立ち小便飛散防御板装置を、便座２０と便器本体１０の間に折りたたみ翼付板付随の固定用突起付板ＷＰＴを差し込んでセッティングした状態の横方向側面図と、折りたたみ翼用開閉金具ＯＣＭ接続のハンドレバーＨＬの詳細図である。
［実施例５］
【００１６】
図５は、実施例２から４記載の、次の第２段階の実施例で、洋式大便器用・男性の立ち小便防御板装置を、二つに折りたたんだ状態の平面図である。    
［実施例６］
【００１７】
図６は前記実施例５記載の次の第３段階の実施例で、便座２０を閉じて大便時に使用可能な状態にした平面図で、請求項３に記載のとおり、折りたたみ翼付板ＷＰを内側に折りたたんで、便座２０を下げた時に便座２０からはみ出した部分を、着衣に汚れが付着するのを防ぐために、便座２０の裏に取り付けた、汚れ防止用衛生カバーＨＣで覆った状態の平面図である。
［実施例７］
【００１８】
図７は、前記実施例６記載の次の第４段階の実施例で、さらに便器カバー３０を閉じて、通常の使用前の状態の平面図である。
［実施例８］
【００１９】
図８は洋式大便器用・男性の立ち小便飛散防御板装置の裏面の製作上の実施例の詳細である。
【産業上の利用可能性】
【００２０】
本発明装置である、洋式大便器用・男性の立ち小便飛散防御板装置の需要が増える事により、使用する材料の生産量が増加し、さらに、加工製作上の人手が必要になり、雇用の増大が見込めるなどの産業上の利用の可能性がある。
【符号の説明】
【００２１】
１０        便器本体
２０        便座
２５        便座の凸部
３０        便器カバー
ＷＰ        折りたたみ翼付板          
ＷＰＴ      固定用突起板左
ＷＰＴー２   折りたたみ翼開閉用金具取付板兼用の固定用突起板右  
ＭＢ        ボックス型の金具カバー  
ＯＣＭ     折りたたみ翼開閉用金具  
ＨＬ        ハンドレバー
ＩＷ        インダクションワイヤ  
ＩＷＫ      インダクションワイヤ止めパーツ
ＷＰＫ     インダクションワイヤ先端固定パーツ
ＯＣＭＢ    折りたたみ翼開閉用金具固定ボルト兼ボックス型の金具カバー固定ボルト  
ＨＣ       汚れ防止用衛生カバー    
ＭＳ       着脱可能テープ付スポンジ
【手続補正２】
【補正対象書類名】特許請求の範囲
【補正対象項目名】全文
【補正方法】変更
【補正の内容】
【特許請求の範囲】
【請求項１】
本発明は、便器本体１０と、便座２０、そして便器カバー３０からなる洋式大便器に、折りたたみ翼付板ＷＰの使用者から見て奥の方の左右の裏に、固定用突起板左ＷＰＴと、折りたたみ翼開閉用金具取付板兼用の固定用突起板右ＷＰＴ−２の長さの２/３を貼り付け、残り１/３の部分を便座２０と便器本体１０の間に差し込んでセッティングし、さらに、折りたたみ翼付板ＷＰの左右の翼部分を内側に開閉する時に、折りたたみ翼開閉用金具取付板兼用の固定用突起板右ＷＰＴ−２の裏に取り付けのボックス型の金具カバーＭＢの中に収納してある、折りたたみ翼開閉用金具ＯＣＭからインダクションワイヤＩＷを接続し、折りたたみ翼付板ＷＰのそれぞれの翼部分に、インダクションワイヤ先端固定パーツＷＰＫにインダクションワイヤＩＷを差し込んで接着固定し、もう一方を折りたたみ翼開閉用金具ＯＣＭから接続延長し、折りたたみ翼付板ＷＰの裏に張り巡らし、インダクションワイヤ止めパーツＩＷＫで部分固定し、折りたたみ翼付板ＷＰの翼部分に、インダクションワイヤ先端固定パーツＷＰＫにインダクションワイヤＩＷを差し込んで接着固定し、そして、折りたたみ翼開閉用金具ＯＣＭに連結してあるハンドレバーＨＬを前後に水平に手動で作動し、折りたたみ翼付板ＷＰの左右の翼部分が同時に連動的に開閉する機構を備えた、洋式大便器用・男性の立ち小便飛散防御板装置。
【請求項２】
本発明は、請求項１の記載において、折りたたみ翼付板ＷＰが開いた時、便器本体１０の左右の縁の内側から折りたたみ翼付板ＷＰを外側へ張り出すように広げて、さらに、使用者から見て、便器本体１０の手前の縁の内側から折りたたみ翼付板ＷＰの幅を外側に広くして、小便の雫が床に垂れる事を防御する、洋式大便器用・男性の立ち小便飛散防御板装置。
【請求項３】
本発明は、請求項１の記載において、折りたたみ翼付板ＷＰの翼部分を内側に折りたたんで便座２０を下げた時に、折りたたみ翼付板ＷＰが便座２０からはみ出している部分を覆う、汚れ防止用衛生カバーＨＣを着脱可能テープ付スポンジＭＳで便座２０の裏の凹部に貼り、便座の凸部２５の上部面に取り付ける汚れ防止用衛生カバーＨＣを備えた、洋式大便器用・男性の立ち小便飛散防御板装置。